(57)【要約】【課題】回転角度によって時刻を表すことにより、利便性と独自性のある付加価値の高い表示装置回転台を提供することである。【解決手段】台座と、ディスプレイ本体１０を取り付けるとともに台座に対して回転する表示部支持機構５０と、表示部支持機構５０を回転させるモータと、台座を覆うカバー部材２１とを有し、ディスプレイ本体１０を取り付けた状態で上方から見た場合に、ディスプレイ本体１０の位置に応じてディスプレイ本体１０の前面と重なるように、カバー部材２１に設けられた時刻を表す目盛り２１ａと、ディスプレイ本体１０の前面が現在時刻を示す目盛り２１ａと重なるように、モータを駆動させて表示部支持機構５０を回転させる制御部とを備えた構成とする。【選択図】図２
2008227783.tif 000002
【特許請求の範囲】
【請求項１】
表示部と、
台座と、前記表示部を取り付けるとともに前記台座に対して回転する表示部支持機構と、該表示部支持機構を回転させるモータと、前記台座を覆うカバー部材とを有する表示装置回転台と、を備えた表示装置において、
時刻を刻む計時部と、
上方から見た場合に、前記表示部の位置に応じて前記表示部の前面と重なるように、前記カバー部材に設けられ、１時間単位で時刻を表す目盛りと、
前記表示部の電源がオフになった場合、そのときの前記表示部支持機構の位置を記憶しておき、１時間ごとに、前記表示部の前面が現在時刻を示す前記目盛りと重なるように、前記モータを駆動させて前記表示部支持機構を回転させ、前記表示部の電源がオンになると前記表示部支持機構を前記記憶しておいた位置に戻す制御部とを備えたことを特徴とする表示装置。
【請求項２】
台座と、表示部を取り付けるとともに前記台座に対して回転する表示部支持機構と、該表示部支持機構を回転させるモータと、前記台座を覆うカバー部材とを有する表示装置回転台において、
前記表示部を取り付けた状態で上方から見た場合に、前記表示部の位置に応じて前記表示部の特定箇所と重なるように、前記カバー部材に設けられた時刻を表す目盛りと、
前記特定箇所が現在時刻を示す前記目盛りと重なるように、前記モータを駆動させて前記表示部支持機構を回転させる制御部とを備えたことを特徴とする表示装置回転台。
【請求項３】
前記表示部の特定箇所は、前記表示部の前面であることを特徴とする請求項２記載の表示装置回転台。
【請求項４】
台座と、表示部を取り付けるとともに前記台座に対して回転する表示部支持機構と、該表示部支持機構を回転させるモータと、前記台座を覆う第１のカバー部材と、前記表示部支持機構の一部を覆う第２のカバー部材とを有する表示装置回転台において、
前記第１のカバー部材の表面又は前記第２のカバー部材の表面の一方に設けられた時刻を表す目盛りと、
前記第１のカバー部材の表面又は前記第２のカバー部材の表面の他方に設けられ、前記表示部の位置に応じて前記目盛りを指し示す指示記号と、
前記指示記号が現在時刻を示す前記目盛りを指すように、前記モータを駆動させて前記表示部支持機構を回転させる制御部とを備えたことを特徴とする表示装置回転台。
【請求項５】
前記制御部は、前記表示部から現在時刻を取得することを特徴とする請求項２〜４の何れかに記載の表示装置回転台。
【請求項６】
時刻を刻む計時部を備え、
前記制御部は、該計時部から現在時刻を取得することを特徴とする請求項２〜４の何れかに記載の表示装置回転台。
【請求項７】
前記目盛りは、１時間単位で設けられていることを特徴とする２〜６の何れかに記載の表示装置回転台。
【請求項８】
前記現在時刻を指し示す制御は１時間ごとに行うことを特徴とする請求項２〜７の何れかに記載の表示装置回転台。
【請求項９】
前記現在時刻を指し示す制御は前記表示部の電源がオフの場合に行うことを特徴とする２〜８の何れかに記載の表示装置回転台。
【請求項１０】
前記表示部の電源がオフになったときの前記表示部支持機構の位置を記憶しておき、前記表示部の電源がオンになると前記表示部支持機構を前記記憶しておいた位置に戻すことを特徴とする請求項９記載の表示装置回転台。
【請求項１１】
請求項２〜１０の何れかに記載の表示装置回転台と、表示部とを備えた表示装置。
【発明の詳細な説明】
【技術分野】
【０００１】
本発明は、台座と、表示部を取り付けるとともに台座に対して回転する表示部支持機構と、表示部支持機構を回転させるモータと、台座を覆うカバー部材とを有する表示装置回転台及びそれを備えた表示装置に関する。
【背景技術】
【０００２】
従来から、テレビやパソコンのディスプレイなどの表示装置を設置し、その表示装置を左右に回転させる表示装置回転台が知られている。また回転台が一体になった表示装置も提供されている。回転台の回転動作は手動又はリモコンなどの操作により自動で行われ、その動作を実現するために様々な構成が提案されている。
【０００３】
例えば特許文献１には、リモコンから発信される信号を入力部で検知し、制御部で検知信号を画面の中央と垂直軸とリモコンの発信、検知軸との角度に相当する回転量に変換して回転機構部にあるモータを回転量回転させ画面をリモコンの発信方向まで回動させるようにしたテレビ画面回転装置が開示されている。
【０００４】
また特許文献２には、ディスプレイの画面角度を変化させる指示を発信するためのキースイッチを備えたリモコンと、ディスプレイ本体においてその指示を受けてモータを制御する電気回路と、ディスプレイの画面角度を変化させるモータとを含むディスプレイ装置が開示されている。
【特許文献１】特開平４−３３６７８４号公報
【特許文献２】特開平３−２３５５８２号公報
【発明の開示】
【発明が解決しようとする課題】
【０００５】
本発明者は、このような回転台に何らかの付加価値を与えることを考え、鋭意研究を行った。そこで、回転台が自動で回転することに着目し、回転角度によって時刻を表すことができないかを検討した。
【０００６】
本発明は、回転角度によって時刻を表すことにより、利便性と独自性のある付加価値の高い表示装置回転台を提供することを目的とする。また、その表示装置回転台を備えた表示装置を提供することも目的とする。
【課題を解決するための手段】
【０００７】
上記目的を達成するために本発明は、台座と、表示部を取り付けるとともに前記台座に対して回転する表示部支持機構と、該表示部支持機構を回転させるモータと、前記台座を覆うカバー部材とを有する表示装置回転台において、前記表示部を取り付けた状態で上方から見た場合に、前記表示部の位置に応じて前記表示部の特定箇所と重なるように、前記カバー部材に設けられた時刻を表す目盛りと、前記特定箇所が現在時刻を示す前記目盛りと重なるように、前記モータを駆動させて前記表示部支持機構を回転させる制御部とを備えたことを特徴とする。
【０００８】
上記の表示装置回転台において、前記表示部の特定箇所は、前記表示部の前面であることが望ましい。
【０００９】
また本発明は、台座と、表示部を取り付けるとともに前記台座に対して回転する表示部支持機構と、該表示部支持機構を回転させるモータと、前記台座を覆う第１のカバー部材と、前記表示部支持機構の一部を覆う第２のカバー部材とを有する表示装置回転台において、前記第１のカバー部材の表面又は前記第２のカバー部材の表面の一方に設けられた時刻を表す目盛りと、前記第１のカバー部材の表面又は前記第２のカバー部材の表面の他方に設けられ、前記表示部の位置に応じて前記目盛りを指し示す指示記号と、前記指示記号が現在時刻を示す前記目盛りを指すように、前記モータを駆動させて前記表示部支持機構を回転させる制御部とを備えたことを特徴とする。
【００１０】
上記の表示装置回転台において、前記制御部は、前記表示部から現在時刻を取得するようにしてもよい。
【００１１】
また上記の表示装置回転台において、時刻を刻む計時部を備え、前記制御部は、該計時部から現在時刻を取得するようにしてもよい。
【００１２】
また上記の表示装置回転台において、前記目盛りは、１時間単位で設けられていることが望ましい。
【００１３】
また上記の表示装置回転台において、前記現在時刻を指し示す制御は１時間ごとに行うことが望ましい。
【００１４】
また上記の表示装置回転台において、前記現在時刻を指し示す制御は前記表示部の電源がオフの場合に行うことが望ましい。
【００１５】
また上記の表示装置回転台において、前記表示部の電源がオフになったときの前記表示部支持機構の位置を記憶しておき、前記表示部の電源がオンになると前記表示部支持機構を前記記憶しておいた位置に戻すことが望ましい。
【００１６】
また本発明は、上記の表示装置回転台と、表示部とを備えた表示装置とする。
【００１７】
上記の表示装置を具体化すると、表示部と、台座と、前記表示部を取り付けるとともに前記台座に対して回転する表示部支持機構と、該表示部支持機構を回転させるモータと、前記台座を覆うカバー部材とを有する表示装置回転台と、を備えた表示装置において、時刻を刻む計時部と、上方から見た場合に、前記表示部の位置に応じて前記表示部の前面と重なるように、前記カバー部材に設けられ、１時間単位で時刻を表す目盛りと、前記表示部の電源がオフになった場合、そのときの前記表示部支持機構の位置を記憶しておき、１時間ごとに、前記表示部の前面が現在時刻を示す前記目盛りと重なるように、前記モータを駆動させて前記表示部支持機構を回転させ、前記表示部の電源がオンになると前記表示部支持機構を前記記憶しておいた位置に戻す制御部とを備えた構成となる。
【発明の効果】
【００１８】
本発明によれば、回転角度によって時刻を表すことにより、利便性と独自性のある付加価値の高い表示装置回転台及びそれを備えた表示装置を提供することができる。
【発明を実施するための最良の形態】
【００１９】
以下、表示装置の一例である液晶表示装置について説明する。図１は、表示装置回転台を備えた液晶表示装置の背面側の斜視図である。図２は、図１の分解斜視図である。図３は、図１の表示装置回転台の内部構造を示す平面図である。図４〜図７は、図１の表示装置回転台の詳細構造を示した図である。まず、図１〜図７を参照して、表示装置回転台２０および液晶表示装置１００の構造について説明する。
【００２０】
表示装置回転台２０は、図１に示すように、表示部支持機構５０によって支持されているディスプレイ本体１０を左右方向（矢印Ａ方向を左方向、矢印Ｂ方向を右方向と呼ぶ）に回転させる（本実施形態では±１５度）ために設けられている。なお、ディスプレイ本体１０は、本発明の「表示部」の一例である。
【００２１】
また、表示装置回転台２０は、図３に示すように、表示部支持機構５０によって支持されているディスプレイ本体１０（図１参照）を水平面内で左右方向に回転させるための回転部３０と、後述する回転板３１を回転させるために設けられた、後述する複数のギアなどからなる駆動部４０とから構成されている。
【００２２】
回転部３０は、図４および図５に示すように、表示部支持機構５０（図３参照）が取り付けられる板金製の回転板３１と、後述する保持部材３３の貫通孔３３ａに配置される２４個の鋼球３２と、鋼球３２を回転可能に保持する樹脂製の保持部材３３と、板金製の台座３４と、板金製の浮止部材３５（本実施形態では４つ）とから構成されている。
【００２３】
保持部材３３は、図５に示すように、平面的に見て円環状に形成されている。また、保持部材３３には、平面的に見て略矩形形状（本実施形態では略正方形）を有する貫通孔３３ａが所定の間隔を隔てて２４個形成されている。また、保持部材３３は、鋼球３２の直径よりも小さい高さを有するとともに、回転板３１の外周面３１ａと実質的に等しい大きさの直径を有する。したがって、図４に示すように、保持部材３３の貫通孔３３ａ（図５参照）に装填された複数の鋼球３２が、上下方向から回転板３１と台座３４とに挟まれることによって、回転板３１は、台座３４上で左右方向（図３の矢印Ａ方向および矢印Ｂ方向）に回動可能なように構成されている。
【００２４】
図５に示すように、板金製の平板状の台座３４には、上方向に凸の絞り形状を有する凸部３４ａがプレス加工（絞り加工）により形成されている。また、凸部３４ａの上面上には、後述する浮止部材３５の位置決めをするための突起部３４１ａが設けられている。また、凸部３４ａは、回転板３１の外周面３１ａおよび保持部材３３の外側ガイド部３３ｂをともに取り囲むように等角度間隔（本実施形態では９０度間隔）に形成されている。また、各凸部３４ａには、浮止部材３５が取り付けられる部分に、２つのネジ取付孔３４ｂが設けられている。
【００２５】
また、台座３４には、図５に示すように、上方向に凸形状のネジ挿入孔３４ｃが設けられており、図示しないネジによりネジ挿入孔３４ｃを介して、後述する樹脂製のカバー部材２１（図２参照）が台座３４に取り付けられるように構成されている。また、図５に示すように、台座３４には、金属製の回動軸部３４ｄがカシメ加工により取り付けられている。また、回転板３１に設けられた貫通孔３１ｂに台座３４に取り付けられた回動軸部３４ｄを挿入するとともに、回転板３１の貫通孔３１ｂから突出した回動軸部３４ｄの部分の外側面に円周状に設けられた溝部３４１ｄにＥリング３６を回動軸部３４ｄの軸に直交する方向から挿入することによって、鋼球３２および保持部材３３が回転板３１と台座３４との間に配置されるように構成されている。
【００２６】
図５に示すように、板金製の板状部材からなる浮止部材３５は、回転板３１の外周部近傍の上面が配置される領域の上方に設けられた浮止部３５ａと、浮止部材３５を台座３４の凸部３４ａに取り付けるための取付部３５ｂとから構成されている。
【００２７】
また、取付部３５ｂには、浮止部材３５を台座３４の凸部３４ａにネジ７０（図５参照）を用いて取り付けるための、ネジ取付孔３５１ｂおよびネジ取付孔３５２ｂが設けられている。ネジ取付孔３５１ｂは、台座３４に対して平面的に見て真円状に形成されている。また、ネジ取付孔３５２ｂは、台座３４の凸部３４ａに設けられた２つのネジ取付孔３４ｂの間隔が設計寸法からずれた場合に、浮止部材３５をネジ７０を用いて台座３４の凸部３４ａに固定できるように、台座３４に対して平面的に見て長穴形状に形成されている。
【００２８】
このように、４つの浮止部材３５の浮止部３５ａによって、回転板３１が左右方向に回動する際に、回転板３１の外周部および保持部材３３が垂直方向に移動するのが抑制される。
【００２９】
また、駆動部４０は、図３および図５に示すように、回転板３１を水平面内で左右方向に回動させるための伝達ギア部４１と、伝達ギア部４１の駆動源となるステッピングモータ４２とから構成されている。また、伝達ギア部４１は、図４に示すように、樹脂製のギア４３と、トルクリミッタ６０と、樹脂製のギア４４と、樹脂製のギア４５とが樹脂製のギアボックス４６に配置されるように構成されている。
【００３０】
また、図６に示すように、ステッピングモータ４２の回転軸には、樹脂製のウォームギア４７が圧入されている。また、図６および図７に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。また、ギア４５は、大径ギア部４５ａと、小径ギア部４５ｂとを一体的に含んでいる。また、図３、図５および図６に示すように、回転部３０の回転板３１の上面には、樹脂製の回転ギア部材４８が、４つのネジ７０によって固定されている。なお、図６では、伝達ギア部４１の構成を説明するために、伝達ギア部４１およびステッピングモータ４２を内部に配置するためのギアボックス４６（図３参照）を図面から省略している。
【００３１】
また、図６および図７に示すように、ウォームギア４７は、ギア４３の大径ギア部４３ａに、回転軸が直交するように噛合されているとともに、ギア４３の小径ギア部４３ｂは、トルクリミッタ６０の原動側ギア６２のギア部６２ａ（図７参照）に回転軸が平行に噛合されている。また、図６および図７に示すように、トルクリミッタ６０の従動側ギア６１のギア部６１ａ（図７参照）は、ギア４４の大径ギア部４４ａに回転軸が平行に噛合されているとともに、ギア４４の小径ギア部４４ｂは、ギア４５の大径ギア部４５ａに回転軸が平行に噛合されている。また、図６および図７に示すように、ギア４５の小径ギア部４５ｂは、回転ギア部材４８の回転ギア部４８ａに回転軸が平行に噛合されている。したがって、図６および図７に示す上述のギア部材の配置関係から、ステッピングモータ４２の駆動力が、ウォームギア４７、ギア４３、トルクリミッタ６０、ギア４４、ギア４５および回転ギア部材４８を介して回転板３１へと伝達されるように構成されている。
【００３２】
また、トルクリミッタ６０は、図６および図７に示すように、樹脂製の従動側ギア６１と、樹脂製の原動側ギア６２と、金属製のバネ部材６３（コイルバネ）とから構成されている。また、トルクリミッタ６０は、ステッピングモータ４２の駆動力が所定の駆動トルク以下の場合に、ステッピングモータ４２の駆動力を伝達ギア部４１を介して回転部３０に伝達することによって回転板３１を表示装置回転台２０の内部で回転させることが可能であるとともに、ステッピングモータ４２の駆動力が所定の駆動トルク以上となった場合には、ステッピングモータ４２の駆動力が回転部３０に伝達されないような機能を有するように構成されている。
【００３３】
また、表示部支持機構５０は、図３に示すように、表示装置回転台２０の回転板３１の上面に設けられている。表示部支持機構５０は、表示部支持部材５１と、表示部支持部材５１を補強するための補強部材５２とにより構成されている。この表示部支持部材５１および補強部材５２は、２つのネジ７０によって回転板３１に固定されているとともに、回転板３１の表面に対して垂直方向に延びるように設けられている。また、表示部支持部材５１は、補強部材５２と隣接するように設けられているとともに、３つのネジ７０により補強部材５２と連結されている。
【００３４】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル（図示せず）が取り付けられた液晶モジュール（図示せず）が、フロントキャビネット１１およびリアキャビネット１２とによって取り囲まれるように構成されている。また、ディスプレイ本体１０は、表示部支持部材５１のネジ挿入孔５１ａ（図２参照）および５１ｂ（図２参照）を介して、ネジ取付孔（図示せず）にネジ７０が締め付けられることにより、表示部支持部材５１に取り付けられている。また、リアキャビネット１２には、表示部支持部材５１を覆い隠して配置するための穴部１２ａが一体的に設けられている。また、リアキャビネット１２の外周部には、複数のネジ挿入孔１２ｂ（本実施形態では７個所）が設けられ、ネジ８０によってフロントキャビネット１１に取り付けられるように構成されている。
【００３５】
また、表示装置回転台２０には、図１および図２に示すように、樹脂製のカバー部材２１がネジ（図示せず）によって台座３４に台座３４の下面側から取り付けられている。また、樹脂製のカバー部材２２が上方から回転部３０を覆うとともに、回転板３１とともに左右方向に回転することが可能なように取り付けられている。また、樹脂製のカバー部材２２には、表示部支持機構５０が挿入されるための穴部２２ａが設けられている。
【００３６】
また、表示装置１００には、時刻を刻む計時部（図示せず）と、ステッピングモータ４２を制御する制御部（図示せず）とが設けられている。計時部及び制御部は、表示装置回転台２０の内部に設けてもよいし、ディスプレイ本体１０に内蔵してもよい。但し、表示装置回転台２０単体で販売する場合は、表示装置回転台２０内に計時部及び制御部を設ける。
【００３７】
図８および図９は、図１の表示装置回転台の回転動作を説明するための図である。図１、図３、図４、図６〜図９を参照して、表示装置回転台２０の水平面内における左右方向の回転動作について説明する。
【００３８】
まず、図３に示すように、表示部支持部材５１が回転板３１に対して垂直であるとともに正面を向いた状態（回転ギア部材４８の回転ギア部４８ａの中央部がギア４５の小径ギア部４５ｂと噛合している状態）から、ユーザが付属リモコン（図示せず）のオートターンボタン（図示せず）を押圧することによって、ディスプレイ本体１０（図１参照）を右方向（矢印Ａ方向）に回転させる信号がディスプレイ本体１０の制御回路部（図示せず）に送信される。この信号に基づいて、表示装置回転台２０のステッピングモータ４２が駆動される。
【００３９】
具体的には、図３に示すように、ステッピングモータ４２が駆動するのに伴って、ステッピングモータ４２に取り付けられたウォームギア４７が矢印Ｅ１方向（図６参照）に回転されるとともに、ギア４３が矢印Ｅ２方向（図６参照）に回転される。そして、ギア４３を介してトルクリミッタ６０の原動側ギア６２が矢印Ｅ３方向に回転される。そして、トルクリミッタ６０の従動側ギア６１が矢印Ｅ３方向に回転されるとともに、ギア４４が矢印Ｅ４方向（図６参照）に回転される。さらに、ギア４５が矢印Ｅ５方向（図６参照）に回転されることによって、回転ギア部材４８が矢印Ｅ６方向に回転される。
【００４０】
これにより、図８に示すように、表示部支持部材５１が取り付けられた回転部３０上の回転板３１が矢印Ｇ１方向への回転を開始するので、ディスプレイ本体１０（図１参照）は、矢印Ａ方向（図１参照）へ回転を開始する。
【００４１】
そして、図８に示すように、ディスプレイ本体１０（図１参照）が載置された回転部３０上の回転板３１が所定の回転速度で矢印Ａ方向（図１参照）への回転を継続する。このとき、回転板３１は、ディスプレイ本体１０（図１参照）の荷重を受けた状態で回転する。
【００４２】
そして、ディスプレイ本体１０が、ユーザが希望する角度まで回転されると、ユーザは付属リモコン（図示せず）のオートターンボタン（図示せず）の押圧を解除することによって、ディスプレイ本体１０（図１参照）を右方向（図１の矢印Ａ方向）に回転させる信号がディスプレイ本体１０の制御回路部（図示せず）に送信されなくなる。したがって、ステッピングモータ４２の駆動が停止される。これにより、回転板３１は、図８に示すような位置で矢印Ｇ１方向への回転を停止するとともに静止される。
【００４３】
また、ディスプレイ本体１０（図１参照）の矢印Ａ方向（図１参照）への回転動作がユーザによって継続されている状態において、回転板３１の回転角度が最大（本実施形態では１５度）となった場合は、回転板３１は回転部３０の内部に設けられたストッパ部材（図示せず）に当接することによって、矢印Ａ方向（図１参照）への回転動作が規制される。したがって、回転板３１は、図９に示すような位置で矢印Ｇ１方向への回転を停止するとともに静止される。この際、ステッピングモータ４２は駆動を継続しているので、ステッピングモータ４２から伝達される駆動トルクがウォームギア４７およびギア４３を介して、トルクリミッタ６０の原動側ギア６２まで伝達される。
【００４４】
なお、図７に示すように、従動側ギア６１は、バネ部材６３によって予め設定された付勢力で原動側ギア６２に圧接されているために、バネ部材６３の圧接力に伴う従動側ギア６１の外周面と、原動側ギア６２の内周面との摩擦力以上の駆動トルクが原動側ギア６２に対して発生した場合は、原動側ギア６２の内周面と、従動側ギア６１の外周面とがスリップを起こすことによって、原動側ギア６２の駆動トルクが従動側ギア６１に伝達されない。つまり、回転板３１がストッパ部材（図示せず）に当接した場合は、従動側ギア６１、ギア４４、ギア４５および回転ギア部材４８は、原動側ギア６２の回転に関わらず回転が停止される。
【００４５】
なお、上記の回転動作は、回転板３１を図８に示す矢印Ｇ１方向に回転させる際について説明したが、矢印Ｇ１方向とは反対の矢印Ｇ２方向へ回転板３１を回転させる回転動作の際も、上記と同様の回転動作が行われることによって、回転板３１を矢印Ｇ２方向へ回転させるとともに、ディスプレイ本体１０（図１参照）は左方向（図１の矢印Ｂ方向）に回転される。
【００４６】
上記の表示装置回転台２０を備えた液晶表示装置１００は、さらに、ディスプレイ本体１０の回転角度によって時刻を表す構成となっている。図１０は、図１の上面図である。図１、図２および図１０に示すように、カバー部材２１の表面には、時刻を表す目盛り２１ａが設けられている。目盛り２１ａは、上方から見た場合に、ディスプレイ本体１０の位置に応じてディスプレイ本体１０の前面と重なるように設けられ、１時間単位で時刻を表している。そして現在時刻の見方は、上方から表示装置１００を見て、ディスプレイ本体１０の前面が重なる目盛り２１ａを読む。例えば図１０では、ディスプレイ本体１０の前面と６時の目盛りとが重なっているので、午前又は午後６時台であることを示している。
【００４７】
このように現在時刻を表すため、制御部は、ディスプレイ本体１０の電源がオフ（スタンバイ状態）になった場合、そのときの表示部支持機構５０の位置を記憶しておき、１時間ごとに、ディスプレイ本体１０の前面が現在時刻を示す前記目盛りと重なるように、ステッピングモータ４２を駆動させて表示部支持機構５０を回転させ、ディスプレイ本体１０の電源がオンになると表示部支持機構５０を先程記憶しておいた位置に戻すように制御する。
【００４８】
これにより、ディスプレイ本体１０の回転角度によって時刻を表すことができ、利便性と独自性という付加価値を与えることができる。また、電源をオンにすると、いつも使用している位置に戻るので使い勝手も損なわれない。
【００４９】
なお、目盛り２１ａに重ねて見る箇所は、上記のディスプレイ本体１０の前面に特に限定されることはなく、ディスプレイ本体１０の特定箇所（例えば背面など）やカバー部材２２の特定箇所とすることができる。また、目盛り２１ａは、２時間単位や３０分単位など、どのような単位で設けてもよい。
【００５０】
また、上記では、ディスプレイ本体１０の電源がオフになった場合、そのときの表示部支持機構５０の位置を記憶しているが、これは、現在位置から基準位置に回転するまでの時間を計測し、その時間を記憶しておけばよい。基準位置とは、例えば、正面（フォトトランジスタで検知）や最大回転角度（モータへ負荷が掛かることにより検知）とすることができる。フォトトランジスタで正面位置を検知する場合は、台座３４にフォトトランジスタを設け、回転板３１に反射シールを設け、表示部支持機構５０が正面を向いたときにフォトトランジスタと反射シールとが対向するようにすれば、フォトトランジスタで検知した位置が正面位置であることがわかる。回転に要する時間は、本実施形態のように回転角度が±１５度である場合に左右端間の回転時間を予め計測して求めておけばよく、例えば１２秒とすることができる。
【００５１】
現在位置からまず左右どちらに回転させるかは予め設定しておけばよい。例えば、まず左に回転させる仕様にした場合、現在位置が正面位置より左に７．５度回転した位置にあれば、左に回転を開始し、３秒後に左へ最大回転角度まで回転した後、右へ回転を開始し、さらに６秒後に正面位置へ来たときにフォトトランジスタが反射シールを検知して回転が停止する。
【００５２】
正面位置で停止した後、制御部は計時部から取得した現在時刻から何時台であるかを算出し、例えば、１時台であれば、右方向（Ｂ方向）へ５秒（１２．５度）回転させる。そうすると、ディスプレイ本体１０の前面が目盛り２１ａの１時に重なる（図１１参照）。次に、１時間経過すると２時になるので、さらに右方向へ１秒（２．５度）回転させればよい。このとき、一旦、正面位置に戻してから右方向へ４秒（１０度）回転させるようにすれば、時刻を示している現在位置を記憶しておく必要がなく、制御が簡単になる。
【００５３】
次に、ディスプレイ本体１０の電源がオンになると表示部支持機構５０を先程記憶しておいた位置に戻すが、これは、基準位置まで戻した後、電源オフ時に基準位置まで回転させた動作の逆に動作させればよい。
【００５４】
なお、回転角度を時間で制御する代わりにステッピングモータ４２の回転数で制御してもよい。
【００５５】
また、上記では、現在時刻を指し示す制御は１時間ごとに行うこととしたが、時間間隔には特に限定はなく、３０分ごとや２時間ごとに行ってもよい。このとき、目盛り２１ａの最小単位の時間ごとに行うことが、目盛り２１ａとの整合性の観点から好ましい。
【００５６】
また、現在時刻は、計時部以外にディスプレイ本体１０が受信する放送電波に含まれる時刻情報から取得してもよい。
【００５７】
また、この現在時刻を表す機能をオン／オフ可能とし、ユーザが任意に変更できるようにしてもよい。
【００５８】
図１２は、他の実施形態の液晶表示装置１０１の上面図である。上記の実施形態と異なる点は、目盛り２１ｂの位置と、カバー部材２２に設けた目盛り２１ｂを指し示す指示記号２２ｂとである。制御部の制御方法は上記の実施形態に準じている。
【００５９】
図１２に示すように、カバー部材２１の表面には、時刻を表す目盛り２１ｂが設けられている。また、カバー部材２２の表面には、ディスプレイ本体１０の位置に応じて目盛り２１ｂを指し示す指示記号２２ｂである線が設けられている。そして現在時刻の見方は、指示記号２２ｂが指し示す目盛り２１ｂを読む。例えば図１２では、指示記号２２ｂと６時の目盛りとが重なっているので、午前又は午後６時台であることを示している。なお、目盛り２１ｂをカバー部材２２に設け、指示記号２２ｂをカバー部材２１に設けてもよい。
【００６０】
この実施形態も上記の実施形態と同様の変形が可能であり、同様の効果を得ることができる。
【産業上の利用可能性】
【００６１】
上記実施形態では、表示装置の一例としての液晶表示装置に表示装置回転台を設ける例を示したが、本発明はこれに限らず、有機ＥＬパネルなどの液晶パネル以外の表示部（表示パネル）を有する表示装置に表示装置回転台を設けるような構成にも利用することができる。
【図面の簡単な説明】
【００６２】
【図１】表示装置回転台を備えた液晶表示装置の背面側の斜視図である。
【図２】図１の分解斜視図である。
【図３】図１の表示装置回転台の内部構造を示す平面図である。
【図４】図１の表示装置回転台の回転部の構成を説明するための斜視図である。
【図５】図４の分解斜視図である。
【図６】図１の表示装置回転台の伝達ギア部の構成を説明するための斜視図である。
【図７】図６の２００−２００線に沿った断面図である。
【図８】図１の表示装置回転台の回転動作を説明するための図である。
【図９】図１の表示装置回転台の回転動作を説明するための図である。
【図１０】図１の上面図である。
【図１１】図１０のディスプレイ本体を回転させた図である。
【図１２】他の実施形態の液晶表示装置の上面図である。
【符号の説明】
【００６３】
１０    ディスプレイ本体（表示部）
２１、２２    カバー部材
２１ａ、２１ｂ    目盛り
２２ｂ    指示記号
５０    表示部支持機構
４２    ステッピングモータ（モータ）
２０    表示装置回転台
１００、１０１    液晶表示装置（表示装置）
【図１】
2008227783.tif 000003
【図２】
2008227783.tif 000004
【図３】
2008227783.tif 000005
【図４】
2008227783.tif 000006
【図５】
2008227783.tif 000007
【図６】
2008227783.tif 000008
【図７】
2008227783.tif 000009
【図８】
2008227783.tif 000010
【図９】
2008227783.tif 000011
【図１０】
2008227783.tif 000012
【図１１】
2008227783.tif 000013
【図１２】
2008227783.tif 000014